(57)【要約】【課題】ブーツを変形することなく、ストップリングに対してブーツの向きを直角方向に配置固定できるようにする。【解決手段】光ケーブルＰの光ファイバ芯線を挿入して固定すると共に、後端フランジ２２を保持するフェルール２と、フランジ２２後端に当接しフェルール２を前方に付勢するスプリング４の後端を支持するストップリング５と、これら各部材を覆うプラブフレーム３と、ストップリング５に連結するブーツ８とを有し、ブーツ８をストップリング５に対して直角方向に向けて配置するよう当該ブーツ８とストップリング５との間に直角連結筒材１０を備える。プラグフレーム３に装着し、接続アダプタ用のガイド突起９ａを片側に形成して成るツマミ９を備え、該ツマミ９の一端開口端縁から、前記ガイド突起９ａ側もしくはガイド突起９ａとは反対側のいずれか一側面にかけて切欠形成した切欠部１７に直角連結筒材１０の直角部分が挿入配置できるようにする。【選択図】図１
2008116602.tif 000002
【特許請求の範囲】
【請求項１】
光ケーブルの光ファイバ芯線が挿入されて固定されると共に、後端にフランジが保持されるフェルールと、フランジ後端に当接しフェルールを前方に付勢するスプリングの後端を支持するストップリングと、これら各部材を覆うプラグフレームと、ストップリングに連結されるブーツとを有して成る固定式直角曲げコネクタであって、前記ブーツをストップリングに対して直角方向に向けて配置させるよう当該ブーツとストップリングとの間に直角連結筒材を介在させたことを特徴とする固定式直角曲げコネクタ。
【請求項２】
プラグフレームに装着され、接続アダプタのキー孔に挿入可能なガイド突起を片側に形成して成るツマミを備え、該ツマミの一端開口端縁から、前記ガイド突起側もしくはガイド突起とは反対側のいずれか一側面にかけて切欠形成された切欠部に、直角連結筒材の直角部分が挿入配置されるものとした請求項１記載の固定式直角曲げコネクタ。
【請求項３】
直角連結筒材は、一端がストップリングに連結され、他端にカシメベースを介して、ケブラを固定するカシメ座、光ケーブルのシースを前記カシメ座に固定するカシメリング、カシメリングに装着されるブーツそれぞれを取り付けて成る請求項１または２記載の固定式直角曲げコネクタ。
【請求項４】
直角連結筒材は、２つの半体部材によって形成されて成り、両半体部材同士はパッチン止め手段により係合一体化される請求項１乃至３のいずれかに記載の固定式直角曲げコネクタ。
【請求項５】
直角連結筒材は、内挿されている光ケーブルの直角方向への屈曲を許容させるよう内部に曲げスペースを形成してある請求項１乃至４のいずれかに記載の固定式直角曲げコネクタ。
【発明の詳細な説明】
【技術分野】
【０００１】
本発明は、各種光通信機器を接続するために室内壁面に設置された光コンセントアダプタ等に接続する固定式直角曲げコネクタに関する。
【背景技術】
【０００２】
近年、ＦＴＴＨ（ｆｉｂｅｒ  ｔｏ  ｔｈｅ  ｈｏｍｅ）が進み、部屋の中に光コンセントを設置するようになってきている。そこで従来では、特許文献１に開示されているように、室内の壁面に設けたアウトレットボックスに複数の光コンセントを取り付け、当該光コンセント内に保持された接続アダプタに、光ファイバコード等の外部光コネクタプラグを壁面に対し垂直に挿入して接続するアウトレット部品なる技術が提案されている。
【０００３】
しかしながら、従来の外部光コネクタプラグは、壁面に対し垂直に挿入して接続するため、当該外部光コネクタプラグ自体が壁面から垂直に突出した状態となる。このため、外部光コネクタプラグが邪魔になり、周辺機器がこれにぶつかって破損する等の事故が予想される。
【０００４】
そこで、ブーツを直角に屈曲変形させて形成し、この先端を光コネクタプラグのストップリングの末端に装着固定して成る所謂曲げコネクタを使用する等の何等かの対策を採ることが必要となってきている。このとき、光コネクタプラグのツマミ片側には、接続アダプタのキー孔に挿入可能なガイド突起が形成されている。
【特許文献１】特開２００５−１０６９３７号公報
【発明の開示】
【発明が解決しようとする課題】
【０００５】
ただ、従来においては、曲げコネクタのストップリングの末端にブーツを一度装着すると、当該ブーツの取付方向を変更するに際し、当該ブーツをストップリングからいったん引き抜き、その後、所定の向きとなるようにブーツをストップリングに再度装着しなければならない。このため、作業に手間と時間が掛かるものとなっていた。
【０００６】
また、従来の曲げコネクタは、ツマミ片側に接続アダプタのキー孔に挿入可能なガイド突起が形成されているため、ブーツをストップリングに装着したまま曲げコネクタごと向きを変えることは不可能となる。しかも、このように曲げコネクタごと向きを変える場合に、ブーツ側の光ファイバコードが引っ張られて、フェルールの中心孔に装着された光ファイバ芯線へ悪影響を与えかねないという問題点を有していた。
【０００７】
そこで、本発明は、叙上のような従来存した諸事情に鑑み案出されたもので、ブーツを変形させることなく、ストップリングに対してブーツの向きが直角方向に配置固定させることができ、しかも、このようなブーツの配置状態でブーツ側の光ファイバコードが引っ張られても、直角連結筒材内の光ファイバコードが引っ張られることが無く、且つブーツからの光ファイバコードの延長方向の向きの設置変更がワンタッチで容易且つ短時間に行えるものとした固定式直角曲げコネクタを提供することを目的とする。
【課題を解決するための手段】
【０００８】
上述した課題を解決するため、光ケーブルの光ファイバ芯線が挿入されて固定されると共に、後端にフランジが保持されるフェルールと、フランジ後端に当接しフェルールを前方に付勢するスプリングの後端を支持するストップリングと、これら各部材を覆うプラグフレームと、ストップリングに連結されるブーツとを有して成る固定式直角曲げコネクタであって、前記ブーツをストップリングに対して直角方向に向けて配置させるよう当該ブーツとストップリングとの間に直角連結筒材を介在させたことを特徴とする。
【０００９】
プラグフレームに装着され、接続アダプタのキー孔に挿入可能なガイド突起を片側に形成して成るツマミを備え、該ツマミの一端開口端縁から、前記ガイド突起側もしくはガイド突起とは反対側のいずれか一側面にかけて切欠形成された切欠部に、直角連結筒材の直角部分が挿入配置されて成る。
【００１０】
直角連結筒材は、一端がストップリングに連結され、他端にカシメベースを介して、ケブラを固定するカシメ座、光ケーブルのシースを前記カシメ座に固定するカシメリング、カシメリングに装着されるブーツそれぞれを取り付けて成る。
【００１１】
直角連結筒材は、２つの半体部材によって形成されて成り、両半体部材同士はパッチン止め手段により係合一体化されて成る。
【００１２】
直角連結筒材は、内挿されている光ケーブルの直角方向への屈曲を許容させるよう内部に曲げスペースを形成して成る。
【発明の効果】
【００１３】
本発明によれば、ブーツを変形させることなく、ストップリングに対してブーツの向きが直角方向に配置固定させることができ、しかも、このようなブーツの配置状態で当該ブーツ側の光ファイバコードが引っ張られても、直角連結筒材内の光ファイバコードが引っ張られることが無く、且つブーツからの光ファイバコードの延長方向の向きの設置変更がワンタッチで容易且つ短時間に行える。
【００１４】
すなわち、ブーツをストップリングに対して直角方向に向けて配置させるよう当該ブーツとストップリングとの間に直角連結筒材を介在させたので、ストップリングに対してブーツの向きを直角方向に容易に配置させることができる。
【００１５】
また、プラグフレームに装着され、接続アダプタのキー孔に挿入可能なガイド突起を片側に形成して成るツマミを備え、該ツマミの一端開口端縁から、前記ガイド突起側もしくはガイド突起とは反対側のいずれか一側面にかけて切欠形成された切欠部に、直角連結筒材の直角部分が挿入配置されるものとしたので、切欠部の形成位置の異なる２つのツマミを接続設置条件応じて任意に選択することで、ブーツからの光コードの延長方向が上下いずれかの向きとなるように容易に変更することができる。
【００１６】
直角連結筒材は、一端がストップリングに連結され、他端にカシメベースを介して、ケブラを固定するカシメ座、光ケーブルのシースを前記カシメ座に固定するカシメリング、カシメリングに装着されるブーツそれぞれを取り付けて成るものとしたので、簡単な構成により、ストップリングに対してブーツの向きを直角方向に確実に配置固定させることができる。しかも、ブーツ側の光ファイバコードが引っ張られても、直角連結筒材内の光コードが引っ張られることが無く、したがってフェルールの中心孔に装着された光ファイバ芯線へ悪影響を与えることはない。さらに、ケブラおよびシースを剥き出した状態の光ケーブルは、直角連結筒材内に封入されているため、当該光ケーブル自体を外部から保護することができる。
【００１７】
直角連結筒材は、２つの半体部材によって形成されて成り、両半体部材同士はパッチン止め手段により係合一体化されるものとしたので、ストップリングおよびカシメベースそれぞれへの直角連結筒材の組み付け、または取り外しが容易に行える。
【００１８】
直角連結筒材は、内挿されている光ケーブルの直角方向への屈曲を許容させるよう内部に曲げスペースを形成してあるので、直角連結筒材の内面で光ケーブルを損傷させることが無い。
【発明を実施するための最良の形態】
【００１９】
以下、図面を参照して本発明を実施するための最良の一形態を説明する。
図において示される符号１は、各種光通信機器を接続するために室内の壁面に設置されたアウトレットボックスＭ内に内装された光コンセントアダプタＱに接続する固定式直角曲げコネクタである（図６参照）。
【００２０】
固定式直角曲げコネクタ１は、図１または図２に示すように、光ファイバ９芯線が挿入されて固定されると共に、後端にフランジ２２が圧入保持されるフェルール２と、フランジ２２後端に当接しフェルール２を前方に付勢するスプリング４の後端を支持するストップリング５と、これら各部材を覆うプラグフェルール３と、ストップリング５に一端開口側が連結される直角連結筒材１０と、直角連結筒材１０の他端開口側内部に嵌め込まれたカシメベース１１と、カシメベース１１に光ケーブルＰの抗張力線であるケブラＰ１を固定するカシメ座６と、光ケーブルＰのケブラＰ１外側を覆う合成樹脂外皮であるシースＰ２を前記カシメ座６に固定するカシメリング７と、カシメリング７に装着されるブーツ８と、プラグフレーム３およびストップリング５の外側に被せられるツマミ９とから概ね構成されている。
【００２１】
フェルール２は、光ファイバ芯線の先端が挿入後、接着剤等で接着されることにより光ファイバ芯線を固定するものである。また、フェルール２は、プラグフレーム３に覆われることによりその保護がなされている。
【００２２】
スプリング４はコイルばねからなり、フランジ２２およびストップリング５の間に挟まれるように配置されることにより、その後端がストップリング５に支持されている。このようにストップリング５に後端が支持されることにより、スプリング４はフェルール２を前方に常時付勢するように作用する。
【００２３】
プラグフレーム３には、スプリング４、およびストップリング５の前方部分が挿入されている。この場合、ストップリング５の前方部分における外面には凸部５ａが形成されており、この凸部５ａが、プラグフレーム３に対するストップリング５挿入時のガイドの役割を果たす。
【００２４】
直角連結筒材１０は、２つの半体部材１０ａ、１０ｂによって形成されており、これら両半体部材１０ａ、１０ｂの開口側同士を合致させて、例えばパッチン止め手段１２により係合一体化される。具体的なパッチン止め手段１２としては、図３および図４に示すように、一方の半体部材１０ａの側面に突設され且つ中央に矩形状の嵌合孔１２ｂを有する嵌合突起１２ａを、該嵌合突起１２ａに対応して他方の半体部材１０ｂの側面に突設され且つ中央に矩形突起状の係止部１２ｄを有する溝部１２ｃに挿入させ、前記嵌合孔１２ｂに係止部１２ｄを嵌合させることで一体化される。
【００２５】
このとき、図５に示すように、一方の半体部材１０ａに嵌合突起１２ａと溝部１２ｃとが対向形成され、これらに対応合致させることができるように、他方の半体部材１０ｂに溝部１２ｃと嵌合突起１２ａとが対向形成されている。尚、この２つの半体部材１０ａ、１０ｂを係合一体化させる構成としては、このパッチン止め手段１２以外に、他の機構を採用しても良いことは勿論である。
【００２６】
ストップリング５の後方部分には、図１（ｂ）または図２（ｂ）に示すように、環状の係合凸部１４が形成されており、筒体の一端側寄りの部分が直角に屈曲して成る直角連結筒材１０の短手側における開口端内周縁部に形成された環状の係合凹部１３が前記係合凸部１４に嵌合されることで、ストップリング５の後方部分に直角連結筒材１０が連結固定される。
【００２７】
また、直角連結筒材１０の長手側における開口端内部には、環状の係合凹部１６が形成されており、端係合凹部１６に、筒状のカシメベース１１に突設された係合凸部１５を嵌合することによって固定され、このカシメベース１１の後端縮径部には、共に金属から成るカシメ座６およびカシメリング７がそれぞれ配置されている。これらのカシメ座６およびカシメリング７は、カシメベース１１に対して光ケーブルＰのケブラＰ１とシースＰ２とをそれぞれ保持するものである。
【００２８】
すなわち、図１（ｂ）または図２（ｂ）に示すように、カシメ座６は、大径の前側筒部６ａと小径の後側筒部６ｂとが略中央の段差部６ｃを介して連設されて成り、前側筒部６ａは、光ケーブルＰの切断されたシースＰ２内側のケブラＰ１と共にカシメベース１１の後端縮径部外周に嵌着される。また、後側筒部６ｂには、シースＰ２の切断端部を被せた状態にしてから、カシメリング７を外側からかしめることにより当該シースＰ２は固定される。そして、カシメリング７の外周には、光ケーブルＰを保持しているブーツ８の幅広開口側が嵌着される。
【００２９】
また、プラグフレーム３は、丸型構造に形成されると共に、当該プラグフレーム３の上下対称位置には、ツマミ９に形成された上下対称位置のキー孔に対応して不図示の一対のガイド部を形成してある。このガイド部は、プラグフレーム３にツマミ９を装着する際に、当該ツマミ９に形成された上下対称位置のキー孔に対し１方向で嵌挿されるよう当該ガイド部は互いに異なった幅員となるように形成されている。
【００３０】
さらに、ツマミ９の片側には、光コンセントアダプタＱに対して一方向からの接続を可能とするようにガイドさせるための接続アダプタのキー孔に挿入可能なガイド突起９ａが形成されている。そして、前記ガイド突起９ａ側もしくはガイド突起９ａとは反対側のいずれか一側面には、ツマミ９の一端開口端縁から内側へ向けて略矩形の切欠部１７が形成されており、直角連結筒材１０の直角に折曲した部分がこの切欠部１７に挿入配置される。図７（ａ）は、ツマミ９のガイド突起９ａ側に切欠部１７を設けたものであり、図７（ｂ）は、ツマミ９のガイド突起９ａとは反対側に切欠部１７を設けたものである。
【００３１】
したがって、ガイド突起９ａに対する切欠部１７の形成位置の異なる２つのツマミ９を、光コンセントアダプタＱへの接続設置条件応じて任意に選択することで、ブーツ８からの光ケーブルＰのコード部分延長方向が上下いずれかの向きとなるように変更可能となる（図１または図２参照）。
【００３２】
また、図１（ｂ）または図２（ｂ）に示すように、直角連結筒材１０の筒内部には、内挿されている光ケーブルＰの直角方向への屈曲を許容させるのに充分な広さのＫ状の曲げスペースＳを形成してある。
【００３３】
図９は、固定式直角曲げコネクタの使用の一例を示すもので、Ｍは光分岐ボックスＢに可撓性パイプ１８を介して連結されたアウトレットボックス、ＱはアウトレットボックスＭの正面板に取り付けられた光コンセントアダプタである。
【００３４】
光コンセントアダプタＱは後端において光分岐ボックスＢに光ケーブルＰを介して接続される。一方、前端においてパソコンＲに光ケーブルＰを介して接続された固定式直角曲げコネクタ１が脱着自在に接続される。
【００３５】
次に、以上のように構成された最良の形態についての組立・使用の一例について説明する。先ず、ブーツ８を光ケーブルＰの切断端部から予め挿入しておく。そして、光ケーブルＰの切断端部からシースＰ２およびケブラＰ１を剥き出し状態にしてから、カシメ座６の後側筒部６ｂに、シースＰ２の切断端部を被せておき、カシメリング７を外側からかしめ固定する。
【００３６】
そして、ブーツ８を光ケーブルＰの切断端部側に移動させてカシメリング７外周に嵌め込むと同時に、カシメ座６の前側筒部６ａを、シースＰ２の切断端部から拡げられたケブラＰ１と共にカシメベース１１の後側縮径部外周に嵌着する。
【００３７】
しかる後、２つの半体部材１０ａ、１０ｂによって形成された直角連結筒材１０の両半体部材１０ａ、１０ｂの開口側同士で、カシメベース１１を両側から挟み込むようにして合致させ、パッチン止め手段１２により係合一体化する。このとき、カシメベース１１の係合凸部１５に、直角連結筒材１０の係合凹部１６が嵌合されることで、カシメベース１１と直角連結筒材１０とは一体的に連結固定される。而して、シースＰ２およびケブラＰ１が剥離された光ケーブルＰは、直角連結筒材１０によって曲げスペースＳ内を直角方向に沿って内挿された状態となる（図１（ｂ）または図２（ｂ）参照）。
【００３８】
また、光ファイバ芯線ａの先端はフェルール２に挿入され、接着剤等で接着されることにより光ファイバ芯線ａが固定される。そして、フェルール２にストップリング５が装着され、ストップリング５の係合凸部１４に、直角連結筒材１０の係合凹部１３が嵌合されることで、ストップリング５の後方部分に直角連結筒材１０が一体的に連結固定される。
【００３９】
さらに、前記したストップリング５の係合凸部１４およびカシメベース１１の係合凸部１５に対する直角連結筒材１０の係合凹部１３、１６は図５および図６に示すように、両側対向面にフラット部１３ａ、１６ａがそれぞれ形成されている。そして、直角連結筒材１０に嵌合されるストップリング５およびカシメベース１１の外周も同形状に構成することで、嵌合時の位置（方向）決めや回転止めの機能を果たすことができる。
【００４０】
そして、フェルール２のフランジ２２後方からスプリング４が挿入され、さらにプラグフレーム３およびストップリング５が所定の位置にそれぞれ挿入配置される。このとき、ストップリング５の上方に設けられた凸部５ａがプラグフレーム３に対する挿入用ガイドとなっている。
【００４１】
このとき、スプリング４は、フランジ２２およびストップリング５の間に挟まれるように配置され、ストップリング５に対してフェルール２を前方に付勢させるように作用する。
【００４２】
最後に、ツマミ９がプラグフレーム３およびストップリング５の外側に被せられる。このとき、ツマミ９に形成された上下対称位置のキー孔に対し、プラグフレーム３が１方向で嵌挿される。
【００４３】
而して、図１、図２および図７（ａ）、（ｂ）に示すように、ガイド突起９ａに対する切欠部１７の形成位置の異なる２つのツマミ９を接続設置条件応じて任意に選択する。
【００４４】
例えば、パソコンＲからの相手側の固定式直角曲げコネクタ１を、室内の壁面に設置されたアウトレットボックスＭに内装された光コンセントアダプタＱの相手側端子に接続させるに際し、図９（ａ）に示すように、前記パソコンＲが光コンセントアダプタＱの下方側に配置されている場合には、図７（ｂ）に示すガイド突起９ａ側とは反対側に切欠部１７が形成されて成るツマミ９をプラグフレーム３に装着させて、直角連結筒材１０の直角に折曲した部分がこの切欠部１７に挿入配置するようにする。
【００４５】
他方、図９（ｂ）に示すように、前記パソコンＲが光コンセントアダプタＱの上方側に配置されている場合には、図７（ａ）に示すガイド突起９ａ側に切欠部１７が形成されて成るツマミ９をプラグフレーム３に装着させて、直角連結筒材１０の直角に折曲した部分がこの切欠部１７に挿入配置するようにする。こうして、ブーツ８からの光ケーブルＰの延長方向が上下いずれかの向きとなるように適宜変更でき、光コンセントアダプタＱが壁面の下側もしくは上側、あるいは天井等の如何なる場所に設置されていても、光コンセントアダプタＱに接続された外部の固定式直角曲げコネクタ１自体が周辺機器の障害とはならないのである。
【図面の簡単な説明】
【００４６】
【図１】本発明を実施するための最良の形態における固定式直角曲げコネクタ（光ケーブル下方延設用）の一例を示すもので、（ａ）は正面図、（ｂ）は（ａ）のＡ−Ａ矢視断面図、（ｃ）は背面図である。
【図２】同じく固定式直角曲げコネクタ（光ケーブル上方延設用）の一例を示すもので、（ａ）は正面図、（ｂ）は（ａ）のＢ−Ｂ矢視断面図、（ｃ）は背面図である。
【図３】同じく直角連結筒材の一方の半体部材の一例を示し、（ａ）は正面図、（ｂ）は開放側から見た平面図、（ｃ）は背面図である。
【図４】同じく直角連結筒材の他方の半体部材の一例を示し、（ａ）は正面図、（ｂ）は開放側から見た平面図、（ｃ）は背面図である。
【図５】同じく図３のＢ−Ｂ矢視断面図である。
【図６】同じく図４のＣ−Ｃ矢視断面図である。
【図７】同じくツマミの二例を示すもので、（ａ）はガイド突起側に切欠部を設けたツマミの平面図、（ｂ）はガイド突起とは反対側に切欠部を設けたツマミの底面図である。
【図８】同じく直角連結筒材の半体部材同士を合致させる状態を示す断面図である。
【図９】同じく固定式直角曲げコネクタの使用状態の一例を示すもので、（ａ）はパソコンが光コンセントアダプタの下方側に配置されている場合での使用状態を示す一部切欠断面図、（ｂ）はパソコンが光コンセントアダプタの上方側に配置されている場合での使用状態を示す一部切欠断面図である。
【符号の説明】
【００４７】
Ｐ              光ケーブル
Ｐ１            ケブラ
Ｐ２            シース
Ｑ              光コンセントアダプタ
Ｒ              パソコン
Ｓ              曲げスペース
Ｍ              アウトレットボックス
ａ              光ファイバ芯線
１              固定式直角曲げコネクタ
２              フェルール
３              プラグフレーム
４              スプリング
５              ストップリング
５ａ            凸部
６              カシメ座
６ａ            前側筒部
６ｂ            後側筒部
６ｃ            段差部
７              カシメリング
８              ブーツ
９              ツマミ
９ａ            ガイド突起
１０            直角連結筒材
１０ａ、１０ｂ  半体部材
１１            カシメベース
１２            パッチン止め手段
１２ａ          嵌合突起
１２ｂ          嵌合孔
１２ｃ          溝部
１２ｄ          係止部
１３            係合凹部
１４            係合凸部
１５            係合凸部
１６            係合凹部
１７            切欠部
１８            可撓性パイプ
２２            フランジ
【図１】
2008116602.tif 000003
【図２】
2008116602.tif 000004
【図３】
2008116602.tif 000005
【図４】
2008116602.tif 000006
【図５】
2008116602.tif 000007
【図６】
2008116602.tif 000008
【図７】
2008116602.tif 000009
【図８】
2008116602.tif 000010
【図９】
2008116602.tif 000011